Podtech/llm-jp-corpus-v4-ja_patent huggingface dataset:
(57)【要約】      （修正有）【課題】フックを外した時十分フックが車体上部まで上がりフックが車体又はシートとドアーの間に挟まれる事を防ぐ事が出来る自動車シートベルトのフックのリターン用止め具を提供する。【解決手段】自動車用シートベルト１のリターン用固定ボタン３とフック４の間に内側に滑り止め加工を施した外形が楕円形の形状をした２個の部材をシートベルト１の外縁に挟み込み締め付け用ネジにて取り付ける事を特徴とする止め具２。【選択図】図１
0003191463.tif 000002
【実用新案登録請求の範囲】
【請求項１】
自動車用シートベルトのリターン用固定ボタンとフックの間にシートベルトの外縁に挟み込み取り付け、かつ前記取り付け位置が調整可能な止め具
【考案の詳細な説明】
【技術分野】
【０００１】本考案は自動車用シートベルトに関するものである
【背景技術】
【０００２】現在の自動車用シートベルトのフックのリターン用止め具はメーカーの出荷時に固定されている
【先行技術文献】
【０００３】
【特許文献】
【特許文献】  実用新案公開  昭６３−８０２５６
【考案の概要】
【考案が解決しようとする課題】
【０００４】自動車の特に小型車の場合、ドアーとシートとの間が狭い為シートベルトのフックを外して下車後ドアーを閉めた時フックが車体又はシートの間にドアーで挟まれる事がある
【考案を解決するための手段】
【０００５】自動車用シートベルトのフックリターン用固定ボタンとフックの間に取り付け位置が調整可能な止め具をシートベルトの外縁に取り付ける
【考案の効果】
【０００６】止め具を取付ける事によりフックを外した時十分フックが車体上部まで上がりフックが車体又はシートとドアーの間に挟まれる事を防ぐ事が出来る
【図面の簡単な説明】
【０００７】
【図１】  本考案の止め具の取り付け図である
【図２】  止め具の斜視図である
【図３】  止め具の平面図である
【考案を実施するための形態】
【０００８】本考案の実施するための最良の形態について説明する
自動車シートベルトに搭乗者の体型に合わせてフックとリターン用固定ボタンの間に任意の位置に本考案の止め具を挟み込み取り付ける
【実施例】
【０００９】以下添付図面に従って実施例を説明する
プラスチック等適宜素材により形成された止め具２をシートベルト１のフック４と固定ボタン３の間にシートベルト１の外縁に挟み込み締め付け用ネジ５をドライバー等で締め付けて取り付ける
取り付け位置はフック４を外した時に十分車体上部まで上がる様調整をする
【符号の説明】
【００１０】１    自動車シートベルト
２    止め具
３    フックリターン用固定ボタン
４    フック
５    締め付け用ネジ
【図１】
0003191463.tif 000003
【図２】
0003191463.tif 000004
【図３】
0003191463.tif 000005
【手続補正書】
【提出日】平成26年4月8日(2014.4.8)
【手続補正１】
【補正対象書類名】実用新案登録請求の範囲
【補正対象項目名】全文
【補正方法】変更
【補正の内容】
【実用新案登録請求の範囲】
【請求項１】
自動車用シートベルトのリターン用固定ボタンとフックの間に内側に滑り止め加工を施した外形が楕円形の形状をした２個の部材をシートベルトの外縁に挟み込み締め付け用ネジにて取り付ける事を特長とする止め具
(57)【要約】      （修正有）【課題】風の強弱によるむらを極力改善して安定した電力を供給できるよう改良した風力発電機を提供する。【解決手段】羽根の周囲にはずみ輪を装着する。一旦回転始めた風車は慣性の法則に従い次第に回転を速め、はずみ輪の遠心力も加わって一時弱風になっても、定速な回転を持続する。はずみ輪の惰力が加わるため、回転力に更に力が働く。【選択図】図２
0003191466.tif 000002
【実用新案登録請求の範囲】
【請求項１】
風力発電機の羽根の周囲にはずみ輪を装着する。
【考案の詳細な説明】
【技術分野】
【０００１】本考案は風力発電機の効率を増強させるための装置。
【背景技術】
【０００２】現存する風力発電装置は風を介した風車の回転を発電機に連動して装置の規模に従った電力の出力を得る。
【考案の概要】
【考案が解決しようとする課題】
【０００３】従来の風力発電は風車に受ける風力に応じた回転力で発電するので羽根に受ける風の強弱に大きく能力が左右されていた。
【課題を解決するための手段】
【０００４】上記課題を解決するため本考案は羽根の周囲に、はずみ輪を装着する。
【考案の効果】
【０００５】従来の風力発電機は前述の如く風の強弱に従い発電出力も変動していた、本考案はこの難点を解決するため羽根の周りにはずみ輪を装着した。【０００６】その結果は一旦回転始めた風車は慣性の法則に従い次第に回転を速め、はずみ輪の遠心力も加わって一時弱風になっても、定速な回転を持続する。（模型実験で立証）【０００７】はずみ輪の惰力が加わるため、回転力に更に力が働く。【０００８】回転の出力が増せば発電機に連動するギアの組み合わせで発電能力を上げることができる。【０００９】羽根の周囲に輪を付けることにより、羽根の強度を増す。
【図面の簡単な説明】
【００１０】
【図１】従来の風力発電機に装着している羽根の原型である。
【図２】本考案の、はずみ輪付羽根の原型である。
【図３】従来の、籠型羽根の原型である。
【図４】考案の、はずみ輪付籠型羽根を示す。図１〜図４は発電機を除した羽根を示したものである。
【図１】
0003191466.tif 000003
【図２】
0003191466.tif 000004
【図３】
0003191466.tif 000005
【図４】
0003191466.tif 000006
【手続補正書】
【提出日】平成26年4月5日(2014.4.5)
【手続補正１】
【補正対象書類名】実用新案登録請求の範囲
【補正対象項目名】全文
【補正方法】変更
【補正の内容】
【実用新案登録請求の範囲】
【請求項１】
羽根の周囲にはずみ輪を装着した風力発電機。
(57)【要約】      （修正有）【課題】自然エネルギー利用の代表格である、ソーラパネルの発電効率を向上させる為に、パネル表面の防汚性と最適な発電効率を維持するソーラーパネル発電効率維持システムを提供する。【解決手段】ソーラパネルＰのパネル表面にチタニアシリカ水溶液を塗布すると共に、パネル枠に感温バルブと噴霧ノズルＮを取り付けて、水道水ホースＨで水道蛇口Ｓと感温バルブ親弁ＫＯ入口とを連結した上で、感温バルブ親弁ＫＯの出口と、噴霧ノズルＮ入口も水道水ホースＨで連結させる。ソーラパネルＰの表面温度が上昇した時、パネル表面とほぼ同じ温度を感知する感温バルブ子弁のＫＫ受熱部分が感熱すると、親弁ＫＯの水道水連結弁が開き、水道水が、ホースＨを流れてノズルＮから霧状に噴霧され、パネル表面を濡らし気化熱で熱を奪う。【選択図】図１
0003191464.tif 000002
【実用新案登録請求の範囲】
【請求項１】
ソーラパネルのパネル表面にチタニアシリカ水溶液を塗布すると共に、パネル枠に感温バルブと噴霧ノズルを取り付けて、水道水ホースで連結させるてソーラパネル防汚とパネル表面を発電効率の良い温度に下げる構造
【考案の詳細な説明】
【技術分野】
【０００１】本考案は、ソーラパネルの発電効率を向上させる為に、パネル表面の防汚とパネル表面温度を発電効率の良い温度に下げるシステムに関する。
【背景の技術】
【０００２】従来、ソーラパネルの維持管理は自然の雨に依り表面のゴミ・埃等を洗い流すか、人的又は機械的に清掃する方法が用いられてる。
【０００３】又、ソーラパネルの表面温度は、摂氏２５度が発電効率の高いとされており、高温になったパネル表面に水道水を利用して霧状の水をパネルに噴霧し、パネル表面を濡らし、気化熱によってパネルの熱を奪う事に依り、発電効率を向上させる方法がある。
【０００４】大半のソーラパネルの表面は透明硝子で構成されており、機能上、光の透過性が重要である。硝子表面を汚れから防ぐ為に光触媒の塗布が考えられるが、一般的な光触媒を塗布した場合、透明性が落ち、初期の時点で発電効率が悪くなる。
【０００５】光触媒効果を有し、透明性、耐候性の高いチタニアシリカ水溶液は、初期の発電効率を下げること無く、光触媒効果で、ソーラパネルの表面に付着して、ゴミ・埃を吸着させる有機物を分解する為、ゴミ・埃・鳥の糞等が自然の雨及び水で洗い流され、パネル表面を綺麗な状態に保ち、ソーラパネルの初期の発電効率を出来るだけ高いレベルで維持する事ができる。
【先行技術文献】
【０００６】
【特許文献】
【特許文献】特許第２９１３２５７  特許第３６４１２６９  特許第３６４２４９０
【非特許文献】
【０００７】
【非特許文献１】（株）テックコーポレーション太陽光パネルミスト・チタニアＬＬＰ凛光
【考案の概要】
【考案が解決しようとする課題】
【０００８】自然エネルギー利用の代表格である、ソーラパネルの発電効率を向上させる為に、パネル表面の防汚性と最適な発電効率を維持するパネル温度に保つ方法を開発する事にある。
【課題を解決するための手段】
【０００９】以上の目的を達成する為に、ソーラパネル表面に光触媒効果を有し、透明性・耐候性の高いチタニアシリカ水溶液を塗布する。【００１０】次に、ソーラパネル表面温度が上昇した時、パネル表面とほぼ同じ温度を感知する感温バルブの子弁の受熱部分が感熱すると、親弁の水道水連結弁が開き、水道水が、ホースを流れてノズルから霧状に噴霧され、パネル表面を濡らし気化熱で熱を奪う太陽光パネルミストをソーラパネルに装着する。又、パネル表面と同じ様に子弁の受熱部が冷却されると、親弁が閉じて給水が止まる。これら一連の動作を電気を使わず行う。
【考案の効果】
【００１１】高い効率を維持出来るソーラパネルシステムを造り出す。
【図面の簡単な説明】
【００１２】
【図１】本考案の一実施例を示す図
【図２】本考案の感温バブルとノズル取付部図
【符号の説明】Ｐ    チタニアシリカ水溶液をコーティングしたソーラパネル
ＫＯ    感温バルブ親弁
ＫＫ    感温バルブ子弁
Ｎ    ノズル
Ｓ    水道蛇口
Ｈ    ホース
【考案を実施する為の形態】
【００１３】以下、図面と共に本考案の実施例を図面に従って説明すると、あらかじめチタニアシリカ水溶液をコーティングしたソーラパネルに感温バブルとノズルを取付て、水道水取水口と各機器にホースを連結する。
【００１４】以上で準備は完了、日射により感温バブルの受光板が加熱されると、水がノズルに送り出されて、噴霧が開始される。
【図１】
0003191464.tif 000003
【図２】
0003191464.tif 000004
【手続補正書】
【提出日】平成26年4月8日(2014.4.8)
【手続補正１】
【補正対象書類名】実用新案登録請求の範囲
【補正対象項目名】全文
【補正方法】変更
【補正の内容】
【実用新案登録請求の範囲】
【請求項１】
ソーラパネルのパネル表面にチタニアシリカ水溶液を塗布すると共に、パネル枠に感温バルブと噴霧ノズルを取り付けて、水道水ホースで水道蛇口と感温バルブ親弁入口とを連結した上で、感温バルブ親弁の出口と、噴霧ノズル入口も水道水ホースで連結させて、ソーラパネル防汚とパネル表面を発電効率の良い温度に下げることを特徴とする構造。
(57)【要約】      （修正有）【課題】ラップをノコ刃に当てて、必要な大きさに切りとる時、ラップが、平らにのびず、箱の中でくちゃくちゃになって、固まって、無駄になったり、途中で破れてしまったりを防ぐラップの箱を提供する。【解決手段】ラップの箱のラップを引き出す側の側面上部にテープをはった。【選択図】図１
0003191452.tif 000002
【実用新案登録請求の範囲】
【請求項１】
ラップの箱の引き出し上側にセロテープをはる。
【考案の詳細な説明】
【考案の詳細な説明】
この実用新案は、ラップをノコ刃に当てて、必要な大きさに切りとる時、ラップが、平らにのびず、箱の中でくちゃくちゃになって、固まって、無駄になったり、注意深く、ゆっくりと時間がかゝったり、途中で破れてしまったりを防ぐためのものである。
本考案は、その欠点を除くためになされたもので引き出されたラップは、ノコ刃で、小さい切り口を線状につけられた後、紙箱の側面上部にはられたセロテープの上を、ゆがむことなく、紙にくっつかないので、スムースに引っぱられて、切りとれる。
本考案は、このような構造であるから、同じ様な構造のアルミホイルの容器にも使える。セロテープは１５ｍｍの巾とする。
【図面の簡単な説明】
【図１】  本案の斜視図である。
【符号の説明】  １、ラップの箱    ２、セロテープ    ３、ノコ刃つきフタ
４、サランラップ    ５  箱側面
【図１】
0003191452.tif 000003
【手続補正書】
【提出日】平成26年3月27日(2014.3.27)
【手続補正１】
【補正対象書類名】実用新案登録請求の範囲
【補正対象項目名】全文
【補正方法】変更
【補正の内容】
【実用新案登録請求の範囲】
【請求項１】
箱のラップを引き出す側の側面上部にテープをはったラップの箱
【手続補正２】
【補正対象書類名】明細書
【補正対象項目名】全文
【補正方法】変更
【補正の内容】
【考案の詳細な説明】
【考案の詳細な説明】
この実用新案はラップを１コ刃に当てて、必要な大きさに切りとる時、ラップが平らにのびず、箱の中で、くちゃくちゃになって固まって、無駄になったり、注意深く、ゆっくりと時間がかゝったり、途中で破れてしまったりを防ぐためのものである。
本考案は、その欠点を除くためになされたもので、引き出されたラップは、１コ刃で小さい、切り口を線状につけられた後、紙箱の側面上部にはられたテープの上をゆがむ−となく、紙にくっつかないので、スムースにひっぱられて、切りとれる。
本考案は、このような構造であるから、同じ様な構造のアルミホイルの容器にも使える。テープは１５ｍｍの巾とする。
【図面の簡単な説明】
【図１】本案の斜視図である。
【符号の説明】（１）１コ刃のついた箱の上の部分
（２）箱の下の部分（箱本体）
（３）引き出されたラップ
（４）箱の中のラップ
（５）箱の側面上部にはられたテープ
【手続補正３】
【補正対象書類名】図面
【補正対象項目名】全図
【補正方法】変更
【補正の内容】
【図１】
0003191452.tif 000004
(57)【要約】      （修正有）【課題】太陽光発電システムで太陽電池モジュールを設置する屋根等との間を粘着テープ等を保護具として付設し、適切な空隙箇所を設け、空隙の保護具間に鳥類等の進入、巣作り等の発生を予防し、防止して発生による弊害から太陽電池モジュール裏面を保護する太陽光発電システムの空隙棚を提供する。【解決手段】太陽電池モジュール２を屋根１に設置する時、太陽電池モジュールと屋根の四面間において、上部端、下部端、左部端及び右部端を、金属材、樹脂材、耐熱性粘着テープ及び又はアルミ箔粘着テープを保護具３−ａ〜３−ｄとして屋根の形状に合わせて付設する。保護具間に適切な間隔で空隙柵１１ａ，１１ｂ，１１ｃを設け、空隙に鳥類等の侵入や巣作り等による目詰まり等による太陽電池モジュール裏面の損壊や破損の発生を予防、防止する空隙柵であって、形状が網目状及び又は棒状構造のアタッチメントで付設が簡易である。【選択図】図１
0003191453.tif 000002
【実用新案登録請求の範囲】
【請求項１】
太陽電池モジュールを屋根等に設置する時、太陽電池モジュールと屋根等の四面間（上部端、下部端、左部端及び右部端）を、粘着テープ（耐熱性及びこれらに類するアルミ箔）等を保護具として屋根等の形状等に合わせて適切に空隙箇所を設けて付設する機構で、空隙の保護具間を「網目状又は棒状の、アタッチメント又は粘着テープ」等で「空隙柵」として付設して（保護具間に発生する）鳥類等の進入、巣作り等による太陽電池モジール裏面の損壊や破損及び異物類の目詰まり等による汚染物質等の堆積とそれらの自然流出・排出作用の悪化による、太陽電池モジュール裏面への弊害の発生を予防し、防止して太陽電池モジュール裏面を保護することを特徴とする太陽光発電システム。
【考案の詳細な説明】
【考案の概要】
【考案が解決しようとする課題】
【０００１】太陽電池モジュールを屋根等に設置する時、太陽電池モジュールと屋根等の形状に合わせて四面（上、下、左、右各端部）に粘着テープ等を保護具として付設し、適切に空隙箇所を設けて太陽電池モジュール裏面を保護する機構で、空隙の保護具間に鳥類等の進入や巣作り等により発生する（破損や損壊、異物等の目詰まり等による汚染堆積物の自然流出・排出作用等の悪化による）太陽電池モジュール裏面への弊害を予防し、防止し、保護する。
【課題を解決するための手段】
【０００２】太陽電池モジュールと屋根等間の四面（上、下、左、右各端部）に、形状に合わせて粘着テープ等を付設する機構の空隙の保護具間を、（網目状又は棒状の、アタッチメント又は粘着テープ）等で「空隙柵」とし付設して鳥類等の進入や巣作り等の発生を予防し、防止して弊害となる問題点を解決する。
【考案の効果】
【０００３】本考案により太陽電池モジュール裏面を、（空隙の保護具間の）鳥類等による弊害（進入・巣作り等）発生を予防し、防止し、保護出来る。
【図面の簡単な説明】
【０００４】
【図１】本考案の平面図（空隙柵：アタッチメント又は粘着テープ等の位置図）
【図２】本考案の断面図（空隙柵：アタッチメント又は粘着テープ等の位置図）
【符号の説明】
【０００５】  １．屋根等
２．太陽電池モジュール
３．保護具（粘着テープ《耐熱性又は高耐熱アルミ箔》等）
４．野地板
５．軒棟固定金具
６．縦桟
７．スレート・板金金具
８．垂木
９．和瓦・平板瓦
１０．空隙（屋根等間、粘着テープ《耐熱性又は高耐熱アルミ箔》等間）
１１．空隙柵（アタッチメント又は粘着テープ《耐熱性又は高耐熱アルミ箔》等）
【図１】
0003191453.tif 000003
【図２】
0003191453.tif 000004
【手続補正書】
【提出日】平成26年3月14日(2014.3.14)
【手続補正１】
【補正対象書類名】実用新案登録請求の範囲
【補正対象項目名】全文
【補正方法】変更
【補正の内容】
【実用新案登録請求の範囲】
【請求項１】
太陽電池モジュールを屋根等に設置する時、太陽電池モジュールと屋根等の四面間において、上部端、下部端、左部端及び右部端を、金属材、樹脂材、耐熱性粘着テープ及び又はアルミ箔粘着テープを保護具として屋根等の形状等に合わせて付設する構造上で、保護具間に適切な間隔で空隙柵を設け、空隙に鳥類等の侵入や潜り込み、同類の巣作り等による目詰まり等で太陽電池モジュール裏面の損壊や破損の発生を予防し、防止する空隙柵であって、形状が網目状及び又は棒状構造のアタッチメントで付設が簡易であることを特徴とする空隙柵。
【手続補正２】
【補正対象書類名】明細書
【補正対象項目名】全文
【補正方法】変更
【補正の内容】
【考案の詳細な説明】
【考案の概要】
【考案が解決しようとする課題】
【０００１】太陽電池モジュールを屋根等に設置する時、太陽電池モジュールと屋根等の四面間を形状に合わせて金属材、樹脂材、耐熱性粘着テープ及び又はアルミ箔等を保護具として封止する時、保護具間に適切な間隔で空隙を設け上下左右端部から風入・流入する風塵・風砂・雨滴・異物・微粒ごみ等の経時的堆積による太陽光モジュール裏面の損傷・損壊、劣化等を予防し、防止するが、空隙箇所への鳥類等の進入及び潜り込みや巣作り等による目詰まりが発生して太陽光モジュール裏面の損壊等を発生させ、太陽光発電システムの経時的機能低下とシステム故障に至る。
【課題を解決するための手段】
【０００２】太陽電池モジュールと屋根等間の四面（上、下、左、右各端部）の空隙箇所に、形状が網目状及び又は棒状構造のアタッチメントで、付設が簡易であることを特徴とする空隙柵を付設して鳥類等の進入や潜り込み、巣作り等による空隙箇所の目詰まり等の発生を予防し、防止して太陽電池モジュール裏面の損壊等の発生を予防し、防止して太陽光発電システムの経時的機能低下とシステム故障に至る課題を解決する。
【考案の効果】
【０００３】本考案による空隙柵付設により鳥類等の進入や潜り込み、巣作り等による空隙箇所の目詰まり等が予防・防止出来、太陽電池モジュール裏面の損壊等の発生予防・防止による太陽光発電システムの経時的機能維持とシステム故障を予防出来る。
【図面の簡単な説明】
【０００４】
【図１】本考案の平面図（保護具・保護具間空隙柵取り付け設置図）である。
【図２】本考案の断面図（保護具・保護具間空隙柵取り付け設置図）である。
【符号の説明】
【０００５】  １．屋根等
２．太陽電池モジュール
３．保護具（耐熱性粘着テープ又は高耐熱アルミ箔テープ等）
４．野地板
５．軒棟固定金具
６．縦桟
７．スレート・板金金具
８．垂木
９．和瓦・平板瓦
１０．空隙（屋根等・保護具間）
【手続補正３】
【補正対象書類名】図面
【補正対象項目名】全図
【補正方法】変更
【補正の内容】
【図１】
0003191453.tif 000005
【図２】
0003191453.tif 000006
(57)【要約】      （修正有）【課題】家庭向けの簡易な移動式パーテーションで、幅広延長ができ、補助足を取り除いて自在な間仕切りができるようにした、パイプ製ユニットパーテーションを提供する。【解決手段】直立する複数のパイプ１，２を簾状にロープ３で連ねた連結パイプからなるプレートとし、連結パイプの内底部に重り玉４を配し、プレート全体の重心を下部に持たせることを特徴とする。【選択図】図１
0003191471.tif 000002
【実用新案登録請求の範囲】
【請求項１】
連結パイプの内底部に重り玉を配し、プレート全体の重心を下部に持たせることを特徴とする、パイプ製ユニットパーテーション。
【請求項２】
請求項１記載のパイプを合成樹脂素材とし、軽量でソフトな凸面が打撲時での危険性を抑制できることを特徴とする、パイプ製ユニットパーテーション。
【請求項３】
請求項１記載のパイプは、１本１本ロープでの結び玉でのつなぎ止めにより、フリーな動きのプレートとして構成ができることを特徴とする、パイプ製ユニットパーテーション。
【請求項４】
請求項１記載のパイプで、プレート片端１本を太パイプとし、切れ込み部を設けプレート相互のジョイントを容易とすることを特徴とする、パイプ製ユニットパーテーション。
【考案の詳細な説明】
【技術分野】
【０００１】この考案は、長尺パイプを簾状に連ねたプレートのユニット式で、幅広延長や自在な間仕切りのできる補助足不要の、パイプ製ユニットパーテーションに関するものである。
【背景技術】
【０００２】通常、オフィスやホールなどでのパーテーションは移動式の物としてスチール製が大半で、大型で重量もあり一人での移動も簡単ではない。一般家庭向けには、蛇腹式や屏風式と移動は困難としないものの幅広さに限界もあり、補助足の出っ張りがネックとなる一面を持っている。幅広延長、補助足の取り除き、そして自在な間仕切り等が満たせる簡易な商品が現在の市場には見当たらない。
【考案の概要】
【考案が解決しようとする課題】
【０００３】一般家庭向けパーテーションとして、ややネックとなる補助足を不要にし、幅広延長ができ通気性なども考慮の上で、自在な間仕切りが簡単にできることを目的とした。
【課題を解決するための手段】
【０００４】パイプ１本１本の内底部に重り玉を配し、片端からの巻き込みによる太柱を形成し、プレート全体の重心安定を保って補助足を不要とした。ユニット式なのでジョイントでの幅広延長ができ、パイプ相互の隙間が通気を可とし、パイプの動きもフリーにして自在な間仕切りを可能とする。
【考案の効果】
【０００５】このような構成により、補助足を不要とし、幅広延長や自在な間仕切りが可能となる。合成樹脂素材のパイプ製なので軽量であり、ソフトな凸面が打撲や災害時などの転倒による危険性を抑制し、１巻に巻き込めることでの収納ができ、取り扱いも簡易である。
【図面の簡単な説明】
【０００６】
【図１】本考案のパイプ製ユニットパーテーションの立面図と付属品である。
【図２】本パイプ製ユニットパーテーションの実施斜視図と部分図である。
【考案を実施するための形態】
【０００７】本考案は［図１］で示すような、パイプ製ユニットから成るパーテーションで、パイプ１，２上下部を３で１本１本結び玉をつくって簾状に連ねたプレートで構成されている。２の内底部には４を配し、プレート全体の重心を下部に持たせ、１を軸とし２の巻き込みにより太柱を形成。６で固定をすると［図２］に示すような直立の安定が計られる。１，２は合成樹脂素材を用い、軽くてソフトな凸面が打撲時での危険性を抑制する。２は１本１本３による結び玉によってつなぎ止められ、フリーな動きによるプレート構成を可能とする。パイプ１は２を覆い被せる太さで縦に切れ込みを設け、プレート相互のジョイントを成し、幅広延長ができる構成となっている。パイプ５は連結プレート末端２に被せるバランス用付属品である。
【実施例１】
【０００８】リビングなどの利用において、直線的な空間遮断だけに限らない用途に、着替え時などの一人空間の確保が可能である。
【実施例２】
【０００９】冷暖房の入った部屋で、送風をダイレクトに受けての防衛手段や脱衣所でのお年寄りの防寒対策用として活用ができる。
【実施例３】
【００１０】バリエーションとして、もう１タイプ透明パイプ製の物を付加すれば、活用箇所から隣の様子が把握できる便宜さも生じる。
【符号の説明】
【００１１】１  パイプ（Ａ）
２  パイプ（Ｂ）
３  ロープ
４  重り玉
５  パイプ（Ｃ）
６  固定ピン
【図１】
0003191471.tif 000003
【図２】
0003191471.tif 000004
【手続補正書】
【提出日】平成26年4月7日(2014.4.7)
【手続補正１】
【補正対象書類名】実用新案登録請求の範囲
【補正対象項目名】請求項１
【補正方法】変更
【補正の内容】
【請求項１】
直立する複数のパイプを簾状にロープで連ねた連結パイプからなるプレートとし、前記連結パイプの内底部に重り玉を配し、プレート全体の重心を下部に持たせることを特徴とする、パイプ製ユニットパーテーション。
(57)【要約】      （修正有）【課題】一人で組立、搬入、設置可能で、短期設置、常時設置が可能な太陽光発電装置を組み込んだ組立式多目的利用テーブルセットを提供する。【解決手段】細分化した部品を異径管の差し込み接続することにより簡単に搬入、組立、設置が可能で、テーブル天板１に強化ガラスのソーラーパネルを有効利用し、ソーラーパネルの架台としてテーブルを利用する。電池及び制御機器収納箱６を防水型とし、接続部に固定ネジ、脚部５にアンカーボルトを取り付けることにより常時設置を可能にした。【選択図】図１
0003191477.tif 000002
【実用新案登録請求の範囲】
【請求項１】
細分化した部品を異径管の差し込み接続による簡単に組み立てられ、テーブル天板に強化ガラスのソーラーパネルを有効利用し、ソーラーパネルの架台としてテーブルを利用した一人で組立及び設置が出来ることを特長とした太陽光発電装置を組み込んだ組立式多目的利用テーブルセット。
【請求項２】
電池及び制御機器収納箱を防水型としたことと接続部に固定ねじ、脚部にアンカーボルトを取付けることにより常時設置を可能とした太陽光発電装置を組み込んだ組立式多目的利用テーブルセット。
【考案の詳細な説明】
【技術分野】
【０００１】
本考案は、電源のない建物屋上、庭園、海浜、山間部、公園等任意の場所に容易に一人で搬入、組立、設置することがでる組立式多目的利用の太陽光発電テーブルベンチセットに関するものである。
【背景技術】
【０００２】
近年、移動式、可搬式、組立式の太陽光電池発電装置が開発されている。
【０００３】
しかし、従来の太陽光電池発電装置の移動式や可搬式は通路や搬入路、可搬重量に制限があり、また制御部が防水でない為に常に天候によって移動を考慮しなければならない。組立式のソーラーパネルは専用の架台に固定され、制御部は屋内に設置されるので移設には費用もかかり不適切である、また制御部が屋外に設置されている型式でも制御部が防水でない為に常に天候によって移動を考慮しなければならず固定が出来ない。またこれらの装置は電源を供給するだけの装置である。
【先行技術文献】
【特許文献】
【０００４】
【特許文献１】特開２００３−２８２９１８号公報
【特許文献２】特開２０１０−２３３４３７号公報
【考案の概要】
【考案が解決しようとする課題】
【０００５】
解決しようとする問題点は、任意の場所に人力で組立、設置及び移設が出来て短期設置及び常時設置が可能な発電装置と多目的の利用空間を確保する屋外ベンチセットを提供することを課題とした。
【課題を解決するための手段】
【０００６】
本考案は、任意の場所に人力で組立、設置するために接続はすべて異径管の差し込み接続とし接続部は固定ねじで固定ができ、常時設置には固定ネジとアンカーボルトで固定し長期設置を可能とし、短期設置には固定ネジとアンカーボルトは取り付けないで移動、再設置を容易にした。
【０００７】
常時設置をするためにバッテリー及び制御機器の収納箱を完全防水タイプとする。
【０００８】
テーブルの天板に強化ガラスのソーラーパネルを使用し、テーブルをソーラーパネルの架台として有効利用する。
【考案の効果】
【０００９】
本考案の太陽光発電装置を組み込んだ組立式多目的利用テーブルベンチセットは接続部をパイプ差し込み接続とし、任意の場所に一人の人力で容易に組立を可能にした。固定ネジとアンカーボルトの取付と蓄電池と制御機器を防水収納箱に設置することで装置の長期固定設置を可能にした。テーブルをソーラーパネルの架台とする為に、テーブルの天板に強化ガラスのソーラーパネルを有効利用し、多目的利用の屋外ベンチセットの空間を確保した。
【図面の簡単な説明】
【００１０】
【図１】本考案の太陽光発電装置を組み込んだ組立式多目的利用テーブルベンチセットの外観斜視図である。
【図２】本考案の太陽光発電装置を組み込んだ組立式多目的利用テーブルベンチセットの鍵付き収納箱を引き出した状態の外観斜視図である。
【図３】本考案の太陽光発電装置を組み込んだ組立式多目的利用テーブルベンチセットの組立斜視図である。
【考案を実施するための形態】
【００１１】
図１及び図３に示すように、本考案の太陽光発電装置を組み込んだ組立式多目的利用テーブルベンチセット１（以下単に「組立式多目的利用テーブルセット」と称す）は組立部品の重量を１０ｋｇ以内として一人で搬入組み立てるようにした。テーブル枠１に４本のテーブル脚４を差し込み接続しテーブル脚４に前後のベンチ脚５を接続することによってテーブルは安定する。さらに２枚のベンチ天板２を接続することにより強固な躯体となる。次に鍵付き引き出し式電池及び制御機器収納箱６をセットし制御結線し最後にソーラーパネルテーブル天板１をセットする。常時設置には接続部固定ネジ１２と脚部アンカーボルト１３で固定する。
【００１２】
図２に示すように装置を常時設置とするために電池及び制御機器の収納箱６を完全防水タイプとし、テーブルの天板の下に設置しメンテナンスの為引き出し式とし、施錠付とする。
【００１３】
図１に示すように有効利用と簡素化の為テーブルの天板にソーラーパネルのテーブル天板（強化ガラス）１を使用し、テーブルをソーラーパネルの架台として利用する。
【符号の説明】
【００１４】
１．  ソーラーパネルのテーブル天板（強化ガラス）
２．  穴あきベンチ天板入力書面
３．  テーブル枠
４．  テーブル枠
５．  ベンチ脚
６．  電池及び制御機器の収納箱
７．  電圧警報灯
８．  ＡＣ１００Ｖ出力
９．  充電灯
１０．オン―オフスイッチ
１１．ＡＣ１００Ｖ入力
１２．固定用穴
１３．アンカーボルト穴
１４．照明灯
【図１】
0003191477.tif 000003
【図２】
0003191477.tif 000004
【図３】
0003191477.tif 000005
(57)【要約】      （修正有）【課題】構造が簡単で、使用と取り付けは便利で操作しやすく、冷却効果が優れて、発光効果もよく省エネで、適用範囲が広く使用寿命が長いＬＥＤ発光装置を提供する。【解決手段】ベース１、ベースの側面に設置された第一固定プレート２、及びベースの反対側に設置された第二固定プレート３、ベースに設置された発光デバイス４、ベースに設置されたカバー５を含み、ベースの内部に電圧検出器６が設置され、ベースにアラーム７が繋がれ、アラームは電圧検出器と繋がれ、ベースにコンデンサー８が設置され、ベースの片方に第一接続用電極板９が設置され、ベースのもう片方に第二接続用電極板１０が設置され、ベースの下部には冷却プレート１１が設置される。【選択図】図１
0003191415.tif 000002
【実用新案登録請求の範囲】
【請求項１】
LED発光装置であり、その特徴は：ベース、ベースの側面に設置された第一固定プレート、及びベースの反対側に設置された第二固定プレート、ベースに設置された発光デバイス、ベースに設置されたカバーを含み、前述したベースの内部に電圧検出器が設置され、前述したベースがアラームと繋ぎ、前述したアラームが電圧検出器と繋ぎ、前述したベースにコンデンサーが設置され、前述したベースの片方に第一接続用電極板が設置され、前述したベースのもう片方に第二接続用電極板が設置され、前述したベースの下部に冷却プレートが設置されることを特徴とするLED発光装置。
【請求項２】
請求項１に記載のLED発光装置において、その特徴は：前述した第一固定プレートと第二固定プレートはベースに溶接されることを特徴とするLED発光装置。
【請求項３】
請求項１に記載のLED発光装置において、その特徴は：前述したカバーはコンデンサーの外部に設置されることを特徴とするLED発光装置。
【請求項４】
請求項１に記載のLED発光装置において、その特徴は：前述した発光デバイスは発光チップであることを特徴とするLED発光装置。
【考案の詳細な説明】
【技術分野】
【０００１】
本実用新案はLED発光装置に関わる。
【背景技術】
【０００２】
既存技術において、LED発光装置に固定プレートが設置されてなく、LED発光装置と外部の連結は剛性連結であり、この様な連結方法は振動の多い環境にて、脱落しやすく、LED発光装置の安定性へ悪影響を及ぼし、LED発光装置の寿命を縮めさせ、使用コストを増加させた。
【考案の概要】
【考案が解決しようとする課題】
【０００３】
本実用新案の解決したい技術課題とはある種の構造が簡単で、使用と取り付けは便利で、操作しやすく、低コストで、冷却効果が優れて、発光効果もよく、省エネで、適用範囲が広く、使用寿命が長く、安全性安定性を持つLED発光装置を提供することである。
【課題を解決するための手段】
【０００４】
上述した課題を解決する為、本実用新案は以下の技術案を採用する：
【０００５】
LED発光装置であり、ベース、ベースの側面に設置された第一固定プレート、及びベースの反対側に設置された第二固定プレート、ベースに設置された発光デバイス、ベースに設置されたカバーを含み、前述したベースの内部に電圧検出器が設置され、前述したベースがアラームと繋ぎ、前述したアラームが電圧検出器と繋ぎ、前述したベースにコンデンサーが設置され、前述したベースの片方に第一接続用電極板が設置され、前述したベースのもう片方に第二接続用電極板が設置され、前述したベースの下部に冷却プレートが設置される。
【０００６】
最適な技術案として、前述した第一固定プレートと第二固定プレートはベースに溶接される。
【０００７】
最適な技術案として、前述したカバーはコンデンサーの外部に設置される。
【０００８】
最適な技術案として、前述した発光デバイスは発光チップである。
【考案の効果】
【０００９】
本実用新案のLED発光装置の有益な効果は：構造が簡単で、使用と取り付けは便利で、操作しやすく、低コストで、冷却効果が優れて、発光効果もよく、省エネで、適用範囲が広く、使用寿命が長く、安全性安定性を持つ。
【図面の簡単な説明】
【００１０】
【図１】本実用新案のLED発光装置の構造図である。
【考案を実施するための形態】
【００１１】
図１に示したLED発光装置に従って、ベース１、ベース１の側面に設置された第一固定プレート２、及びベース１の反対側に設置された第二固定プレート３、ベース１に設置された発光デバイス４、ベース１に設置されたカバー５を含み、前述したベース１の内部に電圧検出器６が設置され、前述したベース１がアラーム７と繋ぎ、前述したアラーム７が電圧検出器６と繋ぎ、前述したベース１にコンデンサー８が設置され、前述したベース１の片方に第一接続用電極板９が設置され、前述したベース１のもう片方に第二接続用電極板10が設置され、前述したベース１の下部に冷却プレート11が設置される。
【００１２】
前述した第一固定プレート２と第二固定プレート３はベース１に溶接される。
【００１３】
前述したカバー５はコンデンサー８の外部に設置される。
【００１４】
前述した発光デバイス４は発光チップである。
【００１５】
本実用新案のLED発光装置の有益な効果は：構造が簡単で、使用と取り付けは便利で、操作しやすく、低コストで、冷却効果はが優れて、発光効果もよく、省エネで、適用範囲が広く、使用寿命が長く、安全性安定性を持つ。
【００１６】
以上は本実用新案の具体的な実施方式を示しただけで、本実用新案の保護範囲はそれまでに制限されるではなく、何れの創造的な労働を通さなかった変化や入れ替えは、全て本実用新案の保護範囲に含まれる。従って、本実用新案の要求された保護範囲は実用新案登録請求の範囲の定義に準じる。
【００１７】
１  ベース
２  第一固定プレート
３  第二固定プレート
４  発光デバイス
５  カバー
６  電圧検出器
７  アラーム
８  コンデンサー
９  第一接続用電極板
10  第二接続用電極板
11  冷却プレート
【図１】
0003191415.tif 000003
(57)【要約】      （修正有）【課題】足の裏が同時に着地するいわゆるミッドフット着地によれば、殿筋や大腿筋を使って地面から反力を得ることが可能となり、効率のよい歩き方・走り方となる。このミッドフット着地を容易に行えるうことができる靴を提供する。【解決手段】アウトソール１１の中足部位１２を接地面側に向けて膨出させて構成した。さらに、アウトソールの踵部位１３を球面状に構成し、高反発素材を使用したインソール３０を備えて構成した。【選択図】図１
0003191411.tif 000002
【実用新案登録請求の範囲】
【請求項１】
アウトソール（１１）の中足部位（１２）を接地面側に向けて膨出させた靴。
【請求項２】
アウトソール（１１）の踵部位（１３）を球面状にした請求項１に記載の靴。
【請求項３】
高反発素材を使用したインソール（３０）を備える請求項１又は請求項２に記載の靴。
【考案の詳細な説明】
【技術分野】
【０００１】
本考案は、歩行時或るいは走行時に、ミッドフット着地を容易に行うことを可能とする靴に関する。
【背景技術】
【０００２】
歩行時或るいは走行時には、通常踵から着地している。しかし、かかる歩き方・走り方は着地時に進行方向と反対の方向に大きな力が働く非効率的なものである。
【０００３】
そこで、足の裏が同時に着地するいわゆるミッドフット着地を用いた歩行法・走行法が昨今注目を集めている。ミッドフット着地によれば、殿筋や大腿筋を使って地面から反力を得ることが可能となり、効率のよい歩き方・走り方となるものである。
【０００４】
ランニングシューズの靴底構造に関する先行文献として特許文献１には、靴底の踵後縁部から着地するランナー（いわゆるヒールストライカー）について、着地時に踵後縁部がエネルギーロスを生じさせることがないように、踵後縁部に平面状のヒールカットエリアを設けたものが示されている。
【０００５】
また、特許文献２にはミッドフット着地を行うランナー向けに、着地時の安定性、衝撃分散性およびグリップ性を向上させるために、アウトソールの中足部位から前足部位にかけてのソール面の外甲側領域において、着用者の足の第５趾中足骨の下方位置に、接地面から逃げる方向に傾斜する傾斜面を形成した靴が開示されている。
【先行技術文献】
【特許文献】
【０００６】
【特許文献１】特許第２９６８４５１号公報
【特許文献２】特開２００４−２５５０４０号公報
【考案の概要】
【考案が解決しようとする課題】
【０００７】
本考案は、上記の通り効率のよい歩き方・走り方であるミッドフット着地を容易に行える靴を提供することを目的とする。
【課題を解決するための手段】
【０００８】
上記の目的を達成する本考案の構成は次の通りである。
【０００９】
（１）  請求項１に記載の考案は、アウトソールの中足部位を接地面側に向けて膨出させて構成した。
【００１０】
（２）  請求項２に記載の考案は、請求項１記載の靴において、アウトソールの踵部位を球面状に構成した。
【００１１】
（３）  請求項３に記載の考案は、請求項１又は請求項２に記載の靴において、高反発素材を使用したインソールを備えて構成した。
【考案の効果】
【００１２】
上記のように構成される本考案が、如何に作用して課題を解決するかを図面を参照しながら概説する。
【００１３】
図１は本考案に係る靴１０の正面図を示すものである。図示されるようにアウトソール１１の中足部位１２は仮想線Ｇで示される地面側に向けて膨出している。
【００１４】
かような形状であるがゆえに、歩行時等に自然と中足部位１２から接地することになり、殊更ミッドフット着地を意図しなくとも自然とミッドフット着地が実現するものである。
【００１５】
更には、本考案に係る靴１０は、踵部位１３が球面状、すなわち図１，図３に示されるように靴の前後方向（図中左右方向）及び図６に示されるように靴の幅方向（図中左右方向）いずれにも湾曲形状を呈している。かような形状ゆえに、一般人が無意識に行っている踵着地を行おうとしても踵が着地せず、必然的にミッドフット着地が行われることになるものである。
【００１６】
更には高反発素材のインソールを装備していることから、歩行時等に足裏がインソールに沈み込んでから、元の位置に押し上げる反発力が生み出され、その結果歩幅が伸びるという効果も認められるものである。
【図面の簡単な説明】
【００１７】
【図１】本考案の正面図
【図２】本考案に係るアウトソールの底面図
【図３】図２におけるＡ−Ａ線断面図
【図４】図２におけるＢ−Ｂ線断面図
【図５】図２におけるＣ−Ｃ線断面図
【図６】図２におけるＤ−Ｄ線断面図
【考案を実施するための形態】
【００１８】
以下、好ましい考案の一実施形態につき、図面を参照しながら概説する。なお、本考案の実施の形態は、下記の実施形態に何ら限定されることはなく、本考案の技術的範囲に属する限り種々の形態を採りうる。
【００１９】
本考案に係る靴１０は、図１に示すようにアウトソール１１と、アッパー２０、及びアウトソール１１上に装備されるインソール３０より成るものである。
【００２０】
アウトソール１１は、爪先部位１４は図４に示すようにほぼ平坦状の一般的なアウトソールと同様の形状を呈するものである。
【００２１】
中足部位１２は図５に示すように肉厚に形成されており、その結果図１や図３に示すように接地面側に向かって膨出した形状となるものである。
【００２２】
踵部位１３は、図１や図３に示されるように靴の前後方向（図中左右方向）及び図６に示されるように靴の幅方向（図中左右方向）いずれにも湾曲形状を呈している。
【００２３】
アウトソール１４の素材は、一般的な靴のアウトソールに使用される素材、例えば合成ゴムや合成樹脂、発泡したポリウレタン樹脂、革、天然ゴムに加硫したラバー等を使用可能である。
【００２４】
アッパー２０は皮革、合成樹脂、布等、一般的な靴に使用される任意の素材を用いて、一般的な靴のアッパーと同様の形状で構成される。
【００２５】
インソール３０は形状的には一般的なインソールの形状、すなわちアウトソールと略相似形な形状を呈するが、素材として高反発素材、例えば高反発ウレタンなどを使用可能である。
【符号の説明】
【００２６】
１０・・靴          １１・・アウトソール      １２・・中足部位      
１３・・踵部位      １４・・爪先部位
２０・・アッパー    ３０・・インソール
【図１】
0003191411.tif 000003
【図２】
0003191411.tif 000004
【図３】
0003191411.tif 000005
【図４】
0003191411.tif 000006
【図５】
0003191411.tif 000007
【図６】
0003191411.tif 000008
(57)【要約】      （修正有）【課題】構造が簡単で、使用と取り付けは便利で、操作しやすく、省エネで、照明効果もよく、低コストで、適用範囲が広く、使用寿命が長いＬＥＤランプを提供する。【解決手段】ＬＥＤランプであって、ランプシェード１、ランプベース２とＬＥＤライト３を含み、ランプシェードの内部に回路基板４が設置される。ＬＥＤライトは回路基板に設け、回路基板の上部にトランス５が設置され、トランスの上部に電子整流器６が繋がれ、ランプシェードはランプベースに取り付けられる。ランプベースは電子整流器と繋ぎ、ランプシェードの内部にコンデンサー７があり、コンデンサーはＬＥＤライトの下に取り付けられ、ランプシェードの下部にカバー８が設置される。【選択図】図１
0003191418.tif 000002
【実用新案登録請求の範囲】
【請求項１】
LEDランプであり、その特徴は：ランプシェード、ランプベースとLEDライトを含み、前述したランプシェードの内部に回路基板が設置され、前述したLEDライトは回路基板に設置され、前述した回路基板の上部にトランスが設置され、前述したトランスの上部に電子整流器が繋がれ、前述したランプシェードはランプベースに取り付けられ、前述したランプベースは電子整流器と繋ぎ、前述したランプシェードの内部にコンデンサーがあり、前述したコンデンサーはLEDライトの下に取り付けられ、前述したランプシェードの下部にカバーが設置されることを特徴とするLEDランプ。
【請求項２】
請求項１に記載のLEDランプにおいて、その特徴は：前述したランプシェードの側面に電源プラグが設置され、前述した電源プラグは電子整流器と繋ぐことを特徴とするLEDランプ。
【請求項３】
請求項１に記載のLEDランプにおいて、その特徴は：前述したカバーは透明材料で造られることを特徴とするLEDランプ。
【請求項４】
請求項１に記載のLEDランプにおいて、その特徴は：前述したランプベースの外観は螺旋状であることを特徴とするLEDランプ。
【考案の詳細な説明】
【技術分野】
【０００１】
本実用新案はLEDランプに関わる。
【背景技術】
【０００２】
省エネは現代社会における大きな課題である。工業用電気の急増や生活用電力消費のニーズを直面して、電力供給は非常に緊張していて、ひいては良く電力不足の状況が現れる。新製品を見つけ出し、電力供給と需要の矛盾を緩和することは、政府と関連部門の第一任務となっている。蛍光灯で電球を代替することで、一部のエネルギーを節約できたが、日々上昇する電力需要に対しまだ電力供給と需要の矛盾を緩和できなく、新たな省エネ製品を探さないといけない。LEDランプは省エネの面で優位性を持ち、しかし、既存のLEDランプは直流電源が必要して、整流器とLEDライトが一体した製品も市場に出されていない。従って、既存のLEDランプは使用上に不便があり、専用電源を付けることが必要である。
【考案の概要】
【考案が解決しようとする課題】
【０００３】
本実用新案の解決したい技術課題とはある種の構造が簡単で、使用と取り付けは便利で、操作しやすく、省エネで、照明効果もよく、実用性が高く、低コストで、適用範囲が広く、使用寿命が長く、安全性安定性を持つLEDランプを提供することである。
【課題を解決するための手段】
【０００４】
上述した課題を解決する為、本実用新案は以下の技術案を採用する：
【０００５】
LEDランプであり、ランプシェード、ランプベースとLEDライトを含み、前述したランプシェードの内部に回路基板が設置され、前述したLEDライトは回路基板に設置され、前述した回路基板の上部にトランスが設置され、前述したトランスの上部に電子整流器が繋がれ、前述したランプシェードはランプベースに取り付けられ、前述したランプベースは電子整流器と繋ぎ、前述したランプシェードの内部にコンデンサーがあり、前述したコンデンサーはLEDライトの下に取り付けられ、前述したランプシェードの下部にカバーが設置される。
【０００６】
最適な技術案として、前述したランプシェードの側面に電源プラグが設置され、前述した電源プラグは電子整流器と繋ぐ。
【０００７】
最適な技術案として、前述したカバーは透明材料で造られる。
【０００８】
最適な技術案として、前述したランプベースの外観は螺旋状である。
【考案の効果】
【０００９】
本実用新案のLEDランプの有益な効果は：構造が簡単で、使用と取り付けは便利で、操作しやすく、省エネで、照明効果もよく、実用性が高く、低コストで、適用範囲が広く、使用寿命が長く、安全性安定性を持つ。
【図面の簡単な説明】
【００１０】
【図１】本実用新案のLEDランプの構造図である。
【考案を実施するための形態】
【００１１】
図１に示したLEDランプに従って、ランプシェード１、ランプベース２とLEDライト３を含み、前述したランプシェード１の内部に回路基板４が設置され、前述したLEDライト３は回路基板４に設置され、前述した回路基板４の上部にトランス５が設置され、前述したトランス５の上部に電子整流器６が繋がれ、前述したランプシェード１はランプベース２に取り付けられ、前述したランプベース２は電子整流器６と繋ぎ、前述したランプシェード１の内部にコンデンサー７があり、前述したコンデンサー７はLEDライト３の下に取り付けられ、前述したランプシェード１の下部にカバー８が設置される。
【００１２】
前述したランプシェード１の側面に電源プラグ９が設置され、前述した電源プラグ９は電子整流器６と繋ぐ。
【００１３】
前述したカバー８は透明材料で造られる。
【００１４】
前述したランプベース２の外観は螺旋状である。
【００１５】
本実用新案のLEDランプの有益な効果は：構造が簡単で、使用と取り付けは便利で、操作しやすく、省エネで、照明効果もよく、実用性が高く、低コストで、適用範囲が広く、使用寿命が長く、安全性安定性を持つ。
【００１６】
以上は本実用新案の具体的な実施方式を示しただけで、本実用新案の保護範囲はそれまでに制限されるではなく、何れの創造的な労働を通さなかった変化や入れ替えは、全て本実用新案の保護範囲に含まれる。従って、本実用新案の要求された保護範囲は権利要求書の定義に準じる。
【符号の説明】
【００１７】
１  ランプシェード
２  ランプベース
３  LEDライト
４  回路基板
５  トランス
６  電子整流器
７  コンデンサー
８  カバー
９  電源プラグ
【図１】
0003191418.tif 000003